(57)【要約】【課題】テープ状の被覆部材を巻き付けることが可能な領域を十分に確保できるコネクタ付電線を提供すること。【解決手段】コネクタ付電線１は、絶縁電線２と、絶縁電線２の端部に接続されたコネクタ３と、コネクタ３から延び出る絶縁電線２の周囲を覆う状態でコネクタ３に取り付けられたコネクタ延長部４と、コネクタ延長部４からコネクタ延長部４のコネクタ３側に対し反対側に存在する絶縁電線２に亘る部分に巻き付けられたテープ状の被覆部材５と、を備える。【選択図】図１
2016066516.tif 000002
【特許請求の範囲】
【請求項１】
絶縁電線と、
前記絶縁電線の端部に接続されたコネクタと、
前記コネクタから延び出る前記絶縁電線の周囲を覆う状態で前記コネクタに取り付けられたコネクタ延長部と、
前記コネクタ延長部から前記コネクタ延長部の前記コネクタ側に対し反対側に存在する前記絶縁電線に亘る部分に巻き付けられたテープ状の被覆部材と、を備えるコネクタ付電線。
【請求項２】
請求項１に記載のコネクタ付電線であって、
複数の前記絶縁電線と複数のキャビティが形成された前記コネクタとを備え、
前記コネクタは、前記複数の絶縁電線が、前記複数のキャビティの少なくとも一部に収容されることにより前記複数の絶縁電線に接続されている、コネクタ付電線。
【請求項３】
請求項２に記載のコネクタ付電線であって、
前記コネクタ延長部が、前記コネクタの前記複数のキャビティにおける前記絶縁電線が挿入されていない部分の少なくとも一部に挿入可能な挿入部を含み、前記挿入部が前記コネクタの前記キャビティに挿入されることによって前記コネクタに固定されている、コネクタ付電線。
【請求項４】
請求項１から請求項３のいずれか１項に記載のコネクタ付電線であって、
前記コネクタの接続相手である相手側部材との接続状態を固定する固定部が、前記固定部の一部が前記コネクタにおける前記コネクタ延長部側の部分の外周面から突出するように前記コネクタに設けられている、コネクタ付電線。
【請求項５】
請求項１から請求項４のいずれか１項に記載のコネクタ付電線であって、
前記被覆部材が、さらに前記コネクタの一部に巻き付けられている、コネクタ付電線。
【請求項６】
請求項１から請求項５のいずれか１項に記載のコネクタ付電線であって、
前記コネクタ延長部が、前記コネクタ側からその反対側にかけて徐々に細くなるテーパ状の部分を含む、コネクタ付電線。
【発明の詳細な説明】
【技術分野】
【０００１】
本発明は、絶縁電線と絶縁電線の端部に接続されたコネクタとを含むコネクタ付電線に関する。
【背景技術】
【０００２】
自動車等の車両に搭載されるワイヤーハーネスにおいて、コネクタ付電線は、絶縁電線とその端部に接続されたコネクタとを備える。
【０００３】
また、コネクタ付電線においては、例えば、特許文献１に示されるように、絶縁電線とその端部に接続されたコネクタとの隙間に水等の液体の侵入を防ぐ防水構造が採用されることがある。特許文献１に示されるコネクタ付電線は、テープ状の紫外線硬化樹脂からなる基体と粘着剤との２層構造を有する紫外線硬化粘着テープがコネクタから電線に亘る部分に粘着剤を内側にして巻き付けられて硬化した被覆部材をさらに備える。
【先行技術文献】
【特許文献】
【０００４】
【特許文献１】特開２０１３−１８７００４号公報
【発明の概要】
【発明が解決しようとする課題】
【０００５】
しかしながら、特許文献１に示されるコネクタ付電線において、コネクタの大きさ又は形状等によって、コネクタから絶縁電線に亘る部分にテープ状の被覆部材を巻き付けることが可能な領域を確保することが困難になる場合がある。
【０００６】
本発明は、テープ状の被覆部材を巻き付けることが可能な領域を十分に確保できるコネクタ付電線を提供することを目的とする。
【課題を解決するための手段】
【０００７】
第１態様に係るコネクタ付電線は、絶縁電線と、前記絶縁電線の端部に接続されたコネクタと、前記コネクタから延び出る前記絶縁電線の周囲を覆う状態で前記コネクタに取り付けられたコネクタ延長部と、前記コネクタ延長部から前記コネクタ延長部の前記コネクタ側に対し反対側に存在する前記絶縁電線に亘る部分に巻き付けられたテープ状の被覆部材と、を備える。
【０００８】
第２態様に係るコネクタ付電線は、第１態様に係るコネクタ付電線の一態様である。第２態様に係るコネクタ付電線は、複数の前記絶縁電線と複数のキャビティが形成された前記コネクタとを備え、前記コネクタは、前記複数の絶縁電線が、前記複数のキャビティの少なくとも一部に収容されることにより前記複数の絶縁電線に接続されている。
【０００９】
第３態様に係るコネクタ付電線は、第２態様に係るコネクタ付電線の一態様である。第３態様に係るコネクタ付電線においては、前記コネクタ延長部が、前記コネクタの前記複数のキャビティにおける前記絶縁電線が挿入されていない部分の少なくとも一部に挿入可能な挿入部を含み、前記挿入部が前記コネクタの前記キャビティに挿入されることによって前記コネクタに固定されている。
【００１０】
第４態様に係るコネクタ付電線は、第１態様から第３態様のいずれか１つに係るコネクタ付電線の一態様である。第４態様に係るコネクタ付電線においては、前記コネクタの接続相手である相手側部材との接続状態を維持する固定部が、前記固定部の一部が前記コネクタにおける前記コネクタ延長部側の部分の外周面から突出するように前記コネクタに設けられている。
【００１１】
第５態様に係るコネクタ付電線は、第１態様から第４態様のいずれか１つに係るコネクタ付電線の一態様である。第５態様に係るコネクタ付電線においては、前記被覆部材が、さらに前記コネクタの一部に巻き付けられている。
【００１２】
第６態様に係るコネクタ付電線は、第１態様から第５態様のいずれか１つに係るコネクタ付電線の一態様である。第６態様に係るコネクタ付電線においては、前記コネクタ延長部が、前記コネクタ側からその反対側にかけて徐々に細くなるテーパ状の部分を含む。
【発明の効果】
【００１３】
上記の各態様において、コネクタ付電線は、コネクタ延長部及び被覆部材を含む。コネクタ延長部は、コネクタから延び出る絶縁電線の周囲を覆う状態でコネクタに取り付けられた部材である。被覆部材は、コネクタ延長部からコネクタ延長部のコネクタ側に対し反対側に存在する絶縁電線に亘る部分に巻き付けられたテープ状の部材である。この場合、コネクタ延長部によって、被覆部材を巻き付けることが可能な部分を増やすことができ、テープ状の被覆部材を巻き付けることが可能な領域を十分に確保できる。
【００１４】
また、第２態様において、コネクタ付電線は、複数の絶縁電線と複数のキャビティが形成されたコネクタとを備える。また、コネクタは、複数の絶縁電線が、複数のキャビティの少なくとも一部に収容されることにより複数の絶縁電線に接続されている。この場合、複数の絶縁電線を備えるコネクタ付電線の止水構造を得ることができる。
【００１５】
また、第３態様において、コネクタ延長部が、コネクタの複数のキャビティにおける絶縁電線が挿入されていない部分の少なくとも一部に挿入可能な挿入部を含む。そして、コネクタ延長部は、挿入部がコネクタのキャビティに挿入されることによってコネクタに固定されている。この場合、コネクタのキャビティを利用してコネクタ延長部をコネクタに取り付けることが可能となる。
【００１６】
また、第４態様において、コネクタの接続相手である相手側部材との接続状態を固定する固定部が、固定部の一部がコネクタにおけるコネクタ延長部側の部分の外周面から突出するようにコネクタに設けられている。この場合、コネクタ延長部によって、コネクタの固定部に干渉しないように、被覆部材を巻き付けることが可能となる。
【００１７】
また、第５態様において、被覆部材が、さらにコネクタの一部に巻き付けられている。この場合、コネクタ付電線において、より広い範囲を止水することができる。
【００１８】
また、第６態様において、コネクタ延長部が、コネクタ側からその反対側にかけて徐々に細くなるテーパ状の部分を含む。この場合、被覆部材を、絶縁電線側からコネクタ延長部側へ巻き付けやすくなる。即ち、被覆部材の巻付け作業をより簡易に行うことが可能となる。
【図面の簡単な説明】
【００１９】
【図１】第１実施形態に係るコネクタ付電線の側面図である。
【図２】第１実施形態に係るコネクタ付電線の一部分解斜視図である。
【図３】第１実施形態に係るコネクタ付電線の一部切り欠き側面図である。
【図４】第１実施形態に係るコネクタ付電線の一部分解斜視図である。
【図５】第１実施形態に係るコネクタ付電線のコネクタ延長部の側面図である。
【図６】第２実施形態に係るコネクタ付電線の側面図である。
【図７】第２実施形態に係るコネクタ付電線の一部分解斜視図である。
【図８】第２実施形態に係るコネクタ付電線のコネクタの正面図である。
【図９】第３実施形態に係るコネクタ付電線の側面図である。
【図１０】第３実施形態に係るコネクタ付電線の一部分解斜視図である。
【図１１】第４実施形態に係るコネクタ付電線の一部分解斜視図である。
【図１２】第４実施形態に係るコネクタ付電線のコネクタ延長部の斜視図である。
【図１３】第５実施形態に係るコネクタ付電線の一部分解斜視図である。
【図１４】第５実施形態に係るコネクタ付電線のコネクタ延長部の斜視図である。
【図１５】第１応用例に係るコネクタ延長部の斜視図である。
【発明を実施するための形態】
【００２０】
以下、添付の図面を参照しながら、本発明の実施形態について説明する。以下の実施形態は、本発明の具現化した一例であり、本発明の技術的範囲を限定する事例ではない。
【００２１】
＜第１実施形態＞
図１〜５を参照しつつ、第１実施形態に係るコネクタ付電線１について説明する。コネクタ付電線１は、絶縁電線２とコネクタ３とコネクタ延長部４と被覆部材５とを備える。なお、本実施形態において、コネクタ付電線１におけるコネクタ３が、相手側コネクタ９に接続された状態が示されている。
【００２２】
図１は、コネクタ付電線１の側面図である。図２は、コネクタ付電線１の一部分解斜視図である。図２では、被覆部材５が設けられていない状態のコネクタ付電線１が示されている。図３は、コネクタ付電線１の一部切り欠き側面図である。図３では、相手側コネクタ９の内部が切り欠かれて示されている。また、図３では、被覆部材５が省略されて示されている。図４は、コネクタ付電線１の一部分解斜視図である。図４では、被覆部材５が設けられておらず、また、コネクタ３にコネクタ延長部４が取り付けられていない状態のコネクタ付電線１が示されている。図５は、コネクタ延長部４の側面図である。
【００２３】
＜コネクタ付電線：絶縁電線＞
本実施形態において、コネクタ付電線１は、複数の絶縁電線２を備える。本実施形態は、コネクタ付電線１が、３本の絶縁電線２を備える場合の事例である。なお、コネクタ付電線１が、１本の絶縁電線２を備える場合、２本の絶縁電線２を備える場合又は４本以上の絶縁電線２を備える場合も考えられる。
【００２４】
絶縁電線２は、例えば、銅又はアルミニウム等の金属を主成分とする線材である芯線とこの芯線の周囲を覆う絶縁被覆とを備える。絶縁被覆は、例えば、ポリエチレン、塩化ビニル又はポリアミド系ナイロンなどを主成分とする合成樹脂の部材である。
【００２５】
絶縁電線２の端部には、コネクタ３が接続される。絶縁電線２は、例えば、絶縁電線２の端部に圧着又は溶接等によって接続された端子を介してコネクタ３に接続される。なお、端子は、例えば、銅等の金属を主成分とする金属の部材である。
【００２６】
＜コネクタ付電線：コネクタ＞
コネクタ付電線１において、コネクタ３は、絶縁電線２の端部に接続される。また、本実施形態において、コネクタ３には、複数のキャビティ３１が形成されている。図４に示すように、本実施形態は、コネクタ３に４つのキャビティ３１が形成されている場合の事例である。なお、コネクタ３に上記以外の数のキャビティ３１が形成されている場合も考えられる。
【００２７】
コネクタ３における複数のキャビティ３１には、絶縁電線２の端部が収容される。コネクタ３は、複数の絶縁電線２が、複数のキャビティ３１の少なくとも一部に収容されることにより複数の絶縁電線２に接続されている。
【００２８】
また、本実施形態において、コネクタ３には、このコネクタ３の接続相手である相手側部材との接続状態を維持する固定部３４が設けられている。なお、本実施形態は、コネクタ３の接続相手である相手側部材が相手側コネクタ９である場合の事例である。
【００２９】
ここで、相手側コネクタ９について説明する。本実施形態では、相手側コネクタ９が、コネクタ３の少なくとも一部を覆う状態でコネクタ３と接続される。即ち、相手側コネクタ９は、コネクタ３の外周面を取り囲む周壁部９１を備えている。そして、周壁部９１によって囲まれて形成された凹部に、コネクタ３の一部が収容された状態で、コネクタ３と相手側コネクタ９とが接続される。
【００３０】
また、本実施形態において、相手側コネクタ９の周壁部９１の一部には、係止用の突起部９２が形成されている。この突起部９２は、コネクタ３の固定部３４に形成された係止孔３４１に引っ掛かり、コネクタ３と相手側コネクタ９との接続状態を維持することが可能である。
【００３１】
コネクタ３の固定部３４は、固定部３４の一部がコネクタ３におけるコネクタ延長部４側の部分の外周面から突出するようにコネクタ３に設けられている。本実施形態では、固定部３４には、相手側コネクタ９の突起部９２に係止可能な係止孔３４１が形成されている。
【００３２】
本実施形態において、固定部３４は、コネクタ３における相手側コネクタ９との嵌合面３８側からコネクタ３における絶縁電線２が引き出される側の電線引出面３９に亘る部分、即ち、コネクタ３の全長に亘って設けられている。固定部３４は、一端がコネクタ３の外周面に連なっており、コネクタ３の外周面に連なった部分から他端までの部分が、コネクタ３の外周面に間隔をあけて設けられている。なお、コネクタ３における電線引出面３９は、後述するコネクタ延長部４が取り付けられる側の面でもある。
【００３３】
即ち、本実施形態において、固定部３４は、コネクタ３の外周面に連なった一端の部分から他端までの部分が、コネクタ３の外周面に接近するように撓み変形可能な部分である。そのため、コネクタ３が相手側コネクタ９の周壁部９１によって形成される凹部に収容される際に、周壁部９１に形成された突起部９２に接触することで、固定部３４がコネクタ３の外周面に接近するように変形する。そして、固定部３４の係止孔３４１に突起部９２が重なるときに、固定部３４が元の形状、即ち、コネクタ３の外周面に間隔をあけて設けられた状態に復帰する。このとき、固定部３４の係止孔３４１に相手側コネクタ９の突起部９２が挿入された状態で、固定部３４が、コネクタ３の外周面に間隔をあけて設けられた状態に復帰する。これにより、固定部３４の係止孔３４１と相手側コネクタ９の突起部９２とが引っ掛かり、コネクタ３と相手側コネクタ９との接続状態が維持される。
【００３４】
また、本実施形態では、コネクタ３と相手側コネクタ９とが接続状態であるときにおいて、固定部３４の一部が、相手側コネクタ９に覆われておらず、露出している。本実施形態では、固定部３４の他端側の部分が露出している。本実施形態では、この露出した固定部３４の他端側の部分をコネクタ３の外周面に接近させるような外力が、固定部３４に加わった場合、固定部３４の係止孔３４１と相手側コネクタ９の突起部９２との係止構造が解除され、コネクタ３と相手側コネクタ９との接続状態も解除されることが考えられる。
【００３５】
また、図２，４に示されるように、コネクタ３を相手側コネクタ９の周壁部９１に囲まれた凹部内で固定する規制部３７が、コネクタ３の外周面に形成されていることも考えられる。規制部３７は、相手側コネクタ９の周壁部９１で囲まれた凹部内でのコネクタ３の位置ズレを規制する。なお、図３では、便宜上、規制部３７が省略されている。
【００３６】
また、相手側コネクタ９に、さらに絶縁電線が接続されている場合も考えられる。図１には、相手側コネクタ９に接続される絶縁電線が、仮想線（二点鎖線）で示されている。また、相手側コネクタ９が、電装機器等に接続された機器コネクタ等である場合も考えられる。
【００３７】
コネクタ３及び相手側コネクタ９は、例えば、ポリブチレンテレフタレート（ＰＢＴ）又はＡＢＳ樹脂などの絶縁性の樹脂材料で構成されている。また、コネクタ３及び相手側コネクタ９に、絶縁電線２の端部に接続される端子をキャビティ３１内で固定する固定構造が設けられていることも考えられる。
【００３８】
＜コネクタ付電線：コネクタ延長部＞
コネクタ付電線１において、コネクタ延長部４は、コネクタ３から延び出る絶縁電線２の周囲を覆う状態でコネクタ３に取り付けられる。本実施形態では、コネクタ延長部４は、コネクタ３のキャビティ３１から引き出された複数の絶縁電線２の周囲を一括して覆う状態でコネクタ３に取り付けられている。
【００３９】
本実施形態では、コネクタ延長部４には、複数の絶縁電線２各々が挿通可能な挿通孔４１が複数形成されている。図１〜５に示されるように、本実施形態は、コネクタ延長部４に３つの挿通孔４１が形成されている場合の事例である。なお、コネクタ延長部４に３つ以外の数の挿通孔４１が形成されている場合も考えられる。
【００４０】
また、図４，５に示されるように、本実施形態において、コネクタ延長部４は、コネクタ３のキャビティ３１に挿入可能な挿入部４２を含んでいる。挿入部４２は、コネクタ３の複数のキャビティ３１における絶縁電線２が挿入されていない部分の少なくとも一部に挿入される。本実施形態では、コネクタ延長部４には、コネクタ３に形成された４つのキャビティ３１のうち、絶縁電線２が挿入されていない１つのキャビティ３１に挿入可能な挿入部４２が形成されている。そして、コネクタ延長部４は、挿入部４２が、コネクタ３のキャビティ３１に挿入されることにより、コネクタ３に固定される。なお、本実施形態においては、挿入部４２は、円柱状に形成されている。しかしながら、挿入部４２が、断面が矩形状の棒状に形成されている場合又は筒状に形成されている場合等も考えられる。
【００４１】
例えば、図４に示されるように、コネクタ延長部４における挿通孔４１に絶縁電線２が挿通された状態で、絶縁電線２がコネクタ３と接続される。このとき、コネクタ延長部４の挿入部４２は、コネクタ３側、即ち、絶縁電線２の先端側に突出した状態で、コネクタ延長部４が複数の絶縁電線２の周囲を覆っていることが考えられる。そして、絶縁電線２とコネクタ３との接続作業が行われた後、コネクタ延長部４がコネクタ３の方へ接近させられ、コネクタ延長部４の挿入部４２が、コネクタ３における絶縁電線２が収容されていないキャビティ３１に収容される。これにより、コネクタ延長部４がコネクタ３に取り付けられる。この場合、コネクタ３の複数のキャビティ３１の一部を利用してコネクタ延長部４をコネクタ３に取り付けることが可能である。
【００４２】
また、後述するようにコネクタ延長部が、１つの挿通孔を含む場合も考えられる。この場合、コネクタ延長部に形成された１つの挿通孔には、複数の絶縁電線２が一括して挿通される。また、コネクタ延長部が、複数の絶縁電線２の周囲を一括して覆う外枠だけで形成されている場合も考えられる。
【００４３】
また、コネクタ延長部４の挿入部４２が、コネクタ３における端子をキャビティ３１内で保持する保持構造によってコネクタ３のキャビティ３１内で固定されることが考えられる。
【００４４】
また、コネクタ延長部４も、コネクタ３と同様、例えば、ポリブチレンテレフタレート（ＰＢＴ）又はＡＢＳ樹脂などの絶縁性の樹脂材料で構成されていることが考えられる。また、本実施形態において、絶縁電線２の長手方向に直交する平面におけるコネクタ延長部４の断面は、矩形状である。しかしながら、この断面におけるコネクタ延長部４の形状が、円形状等である場合も考えられる。
【００４５】
＜コネクタ付電線：被覆部材＞
コネクタ付電線１において、被覆部材５は、コネクタ延長部４からコネクタ延長部４のコネクタ３側に対し反対側に存在する絶縁電線２に亘る部分に巻き付けられたテープ状の部材である。
【００４６】
被覆部材５は、合成樹脂等の樹脂を主成分とするテープ状の部材であることが考えられる。また、本実施形態において、被覆部材５における一方の面には、粘着層が形成されていることが考えられる。本実施形態では、被覆部材５は、被覆部材５における粘着層を内側、即ち、絶縁電線２及びコネクタ延長部４側にして、絶縁電線２及びコネクタ延長部４に巻き付けられる。
【００４７】
本実施形態において、被覆部材５は、コネクタ延長部４全体の周囲に巻き付けられている。そして、被覆部材５は、コネクタ延長部４のコネクタ３側に対し反対側に存在する絶縁電線２の一部の領域にも巻き付けられている。なお、本実施形態において、コネクタ延長部４のコネクタ３側に対し反対側とは、コネクタ延長部４における挿入部４２が突出していない側、即ち、挿入部４２が形成されている側に対する反対側でもある。
【００４８】
被覆部材５が、コネクタ延長部４から絶縁電線２に亘る部分に巻きる付けられることにより、絶縁電線２を伝ってコネクタ３に浸入しようとする水等の液体を止水することが可能となる。
【００４９】
＜コネクタ付電線＞
絶縁電線２、コネクタ３、コネクタ延長部４及び被覆部材５を備える本実施形態のコネクタ付電線１は、自動車等の車両に搭載される。また、本実施形態のコネクタ付電線１は、例えば、通常、水等の液体が侵入しないような車内に配設されることが考えられる。この場合、本実施形態のコネクタ付電線１の止水構造は、通常、水等の液体がかからないような箇所にコネクタ付電線１が配設された場合において、絶縁電線２を伝って水等の液体がかかってしまう恐れのある非常時に、コネクタ３と絶縁電線２との接続部分を止水することが可能となる。
【００５０】
また、本実施形態では、コネクタ３にコネクタ延長部４が取り付けられることにより、コネクタ３の固定部３４に干渉しないように、被覆部材５を絶縁電線２に巻き付け、絶縁電線２を伝ってコネクタ３に液体が侵入することを抑制することが可能となる。
【００５１】
また、コネクタ延長部４を取り付けることによって、被覆部材５を巻き付けることが可能な領域を増やすことができる。例えば、コネクタ３における相手側コネクタ９から露出する部分が比較的少ない場合等に、被覆部材５を巻き付けることが可能な領域を増やすことができる。
【００５２】
また、コネクタ３における相手側コネクタ９に覆われておらず露出している部分の形状が被覆部材５を巻き付けることが困難な形状である場合でも、コネクタ延長部４をコネクタ３に取り付け、コネクタ延長部４から絶縁電線２に亘る部分に被覆部材５を巻き付けることにより、被覆部材５の巻付け作業をより簡易に行うことも可能である。
【００５３】
また、図１〜４に示されるように、本実施形態では、コネクタ３が相手側コネクタ９に嵌り込む構造によって、コネクタ３と相手側コネクタ９との接続状態が維持されている。相手側コネクタ９の内側に嵌り込むコネクタ３においては、被覆部材５を巻き付けることが可能な領域が少なくなりやすい。そのため、コネクタ延長部４によって、被覆部材５を巻き付けることが可能な領域を増やすことができる本実施形態のコネクタ付電線１がより有効である。また、さらに、コネクタ３において、相手側コネクタ９とのロック構造の一部である固定部３４が、相手側コネクタ９に覆われておらず露出している場合、被覆部材５を巻き付けることが可能な領域がさらに少なくなりやすい。そのため、本実施形態のコネクタ付電線１がさらに有効である。
【００５４】
また、相手側コネクタ９を含むコネクタ付電線に対して本実施形態の止水構造が適用されている場合も考えられる。即ち、一方が他方に嵌り込む構造によって接続される２つのコネクタのうちの外側のコネクタ（相手側コネクタ９）に、コネクタ延長部４が取り付けられている場合も考えられる。この場合、被覆部材５を巻き付けることが可能な領域を増やすことができる。
【００５５】
＜第２実施形態＞
次に、図６〜８を参照しつつ、第２実施形態に係るコネクタ付電線１Ａについて、説明する。図６は、コネクタ付電線１Ａの側面図である。図７は、コネクタ付電線１Ａの一部分解斜視図である。図７では、被覆部材５が省略された状態のコネクタ付電線１Ａが示されている。図８は、コネクタ付電線１Ａに含まれるコネクタ３Ａの正面図である。なお、図６〜８において、図１〜５に示される構成要素と同じ構成要素には、同じ参照符号が付されている。
【００５６】
本実施形態においては、被覆部材５が、さらにコネクタ３Ａの一部に巻き付けられている点で、第１実施形態と異なる。また、コネクタ付電線１Ａが、コネクタ３と異なる構造のコネクタ３Ａを備える点でコネクタ付電線１と異なる。以下、本実施形態における第１実施形態と異なる点について説明する。
【００５７】
本実施形態において、図７，８に示されるように、コネクタ３Ａは、固定部３４の両側に形成された保護壁部３５を備える。保護壁部３５は、固定部３４に他部材等が接触して外力が加わることを抑制する。保護壁部３５は、コネクタ３と相手側コネクタ９とが接続状態のときに、固定部３４における相手側コネクタ９から露出した部分の両側に形成されていることが考えられる。従って、本実施形態において、保護壁部３５は、コネクタ３Ａにおける嵌合面３８から電線引出面３９までの全長に亘って形成されている場合又はコネクタ３Ａにおける電線引出面３９側の部分のみに形成されている場合が考えられる。
【００５８】
また、本実施形態では、被覆部材５が、コネクタ延長部４及び絶縁電線２の他に、コネクタ３Ａの一部に巻き付けられている。図７に示すように、本実施形態では、コネクタ３Ａにおける相手側コネクタ９に覆われておらず露出している部分からコネクタ延長部４を通り絶縁電線２に亘る部分に被覆部材５が巻き付けられている。
【００５９】
本実施形態においては、コネクタ３Ａの保護壁部３５によって、コネクタ３Ａの固定部３４に干渉することを抑制しつつ、コネクタ３Ａの一部にも被覆部材５が巻き付けることが可能となる。
【００６０】
また、本実施形態においては、被覆部材５を巻き付けることが可能な領域をさらに増やすことができ、被覆部材５の巻付け作業をより簡易化できる。
【００６１】
＜第３実施形態＞
次に、図９，１０を参照しつつ、第３実施形態に係るコネクタ付電線１Ｂについて、説明する。図９は、コネクタ付電線１Ｂの側面図である。図１０は、コネクタ付電線１Ｂの一部分解斜視図である。図１０では、被覆部材５が省略された状態のコネクタ付電線１Ｂが示されている。なお、図９，１０において、図１〜８に示される構成要素と同じ構成要素には、同じ参照符号が付されている。
【００６２】
本実施形態においては、コネクタ付電線１Ｂが、コネクタ延長部４と異なる構造のコネクタ延長部４Ｂを備える点で第１実施形態と異なる。以下、本実施形態における第１実施形態及び第２実施形態と異なる点について説明する。
【００６３】
本実施形態では、コネクタ延長部４Ｂが、コネクタ３側からその反対側にかけて徐々に細くなるテーパ状の部分を含む。本実施形態では、図１０に示されるように、コネクタ延長部４Ｂは、コネクタ３側の端部からその反対側、即ち、絶縁電線２側の端部にかけて徐々に細くなるテーパ状の部分を含んでいる。本実施形態では、コネクタ延長部４Ｂは、コネクタ３側の端部からその反対側の端部の全長に亘って徐々に細くなるテーパ状に形成されている。
【００６４】
なお、コネクタ延長部４Ｂが、コネクタ３側からその反対側にかけて徐々に細くなるテーパ状の部分を一部にのみ有している場合も考えられる。例えば、そのテーパ状の部分が、コネクタ延長部４Ｂにおけるコネクタ３側の端部と絶縁電線２側の端部との中間に設けられている場合、コネクタ３側の端部にのみ設けられている場合或いは絶縁電線２側の端部にのみ設けられている場合等が考えられる。
【００６５】
また、本実施形態においては、第１実施形態と同様、コネクタ延長部４Ｂから絶縁電線２に亘る部分に被覆部材５が設けられている。しかしながら、第２実施形態のように、被覆部材５がさらにコネクタ３の一部を含む部分に巻き付けられている場合も考えられる。
【００６６】
また、本実施形態において、コネクタ延長部４Ｂの絶縁電線２の長手方向に直交する平面における断面は、矩形状であり、コネクタ延長部４Ｂは、その形状を保ったまま徐々に細くなるテーパ状に形成されている。即ち、コネクタ延長部４Ｂにおける外周面上には、４つの角張った箇所が形成されている。しかしながら、コネクタ延長部４Ｂにおける外周面が、被覆部材５が巻き付けやすい滑らかな湾曲面である場合も考えられる。例えば、コネクタ延長部４Ｂにおけるテーパ状の部分の断面形状が、円形状又は角丸長方形状等である場合が考えられる。
【００６７】
本実施形態においては、被覆部材５を、絶縁電線２側からコネクタ延長部４Ｂ側へ巻き付けやすくなる。即ち、被覆部材５の巻付け作業をより簡易に行うことが可能となる。
【００６８】
＜第４実施形態＞
次に、図１１，１２を参照しつつ、第４実施形態に係るコネクタ付電線１Ｃについて、説明する。コネクタ付電線１Ｃは、第１実施形態〜第３実施形態と異なる構造のコネクタ延長部４Ｃを備えている。図１１は、コネクタ付電線１Ｃの一部分解斜視図である。図１１では、被覆部材５が省略された状態のコネクタ付電線１Ｃが示されている。図１２は、コネクタ延長部４Ｃの斜視図である。なお、図１１，１２において、図１〜１０に示される構成要素と同じ構成要素には、同じ参照符号が付されている。以下、本実施形態における第１実施形態〜第３実施形態と異なる点について説明する。
【００６９】
本実施形態では、コネクタ延長部４Ｃが、複数に分割された部材が合体することにより形成される部材である。また、本実施形態では、コネクタ延長部４Ｃの挿通孔４１Ｃは、複数の絶縁電線２が一括して挿通することが可能な孔である。
【００７０】
図１１，１２に示される例は、２つのコネクタ延長部材片４０Ｃが合体することにより、コネクタ延長部４Ｃが形成される場合の事例である。なお、本実施形態では、コネクタ延長部４Ｃは、挿通孔４１Ｃの軸方向に沿って形成された分離線によって分割された複数（図１１，１２に示される例では、２つ）のコネクタ延長部材片４０Ｃが合体することにより形成されている。一方、コネクタ延長部４Ｃが、３つ以上のコネクタ延長部片４０Ｃが合体することにより形成される部材である場合も考えられる。
【００７１】
なお、複数のコネクタ延長部片４０Ｃは、例えば、相互に形成された合体状態を維持するロック構造によって合体状態を維持し、コネクタ延長部４Ｃを成していることが考えられる。また、複数のコネクタ延長部片４０Ｃの合体状態が、接着剤によって維持されている場合も考えられる。他にも、コネクタ延長部片４０Ｃの合体状態が、コネクタ付電線１Ｃに含まれる被覆部材５によって維持される場合等も考えられる。
【００７２】
また、図１１，１２に示されるように、本実施形態では、２つのコネクタ延長部片４０Ｃが合体することにより、複数の絶縁電線２を挿通可能な１つの挿通孔４１Ｃが形成される。上述のように、挿通孔４１Ｃは、複数の絶縁電線２が一括して挿通することが可能な孔である。なお、第１実施形態〜第３実施形態と同様に、コネクタ延長部４Ｃが、複数の絶縁電線２各々を挿通可能な複数の挿通孔４１を含む場合も考えられる。
【００７３】
また、本実施形態では、コネクタ延長部４Ｃの挿入部４２は、第１実施形態〜第３実施形態と異なり、挿入部４２の突出方向に直交する断面が矩形状の棒状に形成されている。なお、挿入部４２の突出方向は、挿通孔４１Ｃの軸方向に重なる方向でもある。なお、コネクタ延長部４Ｃの挿入部４２が、第１実施形態〜第３実施形態と同様、円柱状に形成されている場合も考えられる。また、コネクタ延長部４Ｃの挿入部４２が、上記以外の形状に形成されている場合も考えられる。
【００７４】
本実施形態では、２つのコネクタ延長部片４０Ｃ各々の形状が異なっている。図１２に示される例では、挿入部４２が形成されたコネクタ延長部片４０Ｃと挿入部４２が形成されていないコネクタ延長部片４０Ｃとが合体することにより、コネクタ延長部４Ｃが形成される。なお、コネクタ延長部４Ｃが、同じ形状のコネクタ延長部片４０Ｃが合体することにより形成される部材である場合も考えられる。この場合、２つのコネクタ延長部片４０Ｃ各々には、合体することで挿入部４２を成す挿入部片が形成されていることが考えられる。
【００７５】
本実施形態においては、コネクタ延長部４Ｃが、複数に分割された部材が合体することにより形成される部材である。そのため、例えば、コネクタ３に絶縁電線２が接続された後に、コネクタ３及び絶縁電線２に対してコネクタ延長部４Ｃを取り付けることが可能となる。即ち、本実施形態においては、コネクタ延長部４Ｃを後付することができ、作業性に優れる。
【００７６】
また、本実施形態において、コネクタ延長部４Ｃには、複数の絶縁電線２を一括して挿通可能な１つの挿通孔４１Ｃが形成されている。この場合、複数の絶縁電線２の周囲をコネクタ延長部４Ｃが覆う構造をより簡易に作ることができる。
【００７７】
＜第５実施形態＞
次に、図１３，１４を参照しつつ、第５実施形態に係るコネクタ付電線１Ｄについて、説明する。コネクタ付電線１Ｄは、第１実施形態〜第４実施形態と異なる構造のコネクタ延長部４Ｄを備えている。図１３は、コネクタ付電線１Ｄの一部分解斜視図である。図１３では、被覆部材５が省略された状態のコネクタ付電線１Ｄが示されている。図１４は、コネクタ延長部４Ｄの斜視図である。なお、図１３，１４において、図１〜１２に示される構成要素と同じ構成要素には、同じ参照符号が付されている。以下、本実施形態における第１実施形態〜第４実施形態と異なる点について説明する。
【００７８】
本実施形態では、図１３，１４に示されるように、コネクタ延長部４Ｄが、凹部４１Ｄを含んでいる。本実施形態において、凹部４１Ｄは、コネクタ延長部４Ｄの挿入部４２が突出する側の面からその反対側の面に亘る部分に形成された溝である。本実施形態では、複数の絶縁電線２は、凹部４１Ｄの溝に収容されるようにして、コネクタ延長部４Ｄにその周囲を覆われている。即ち、複数の絶縁電線２が一括してコネクタ延長部４Ｄの凹部４１Ｄに収容されている。
【００７９】
本実施形態において、凹部４１Ｄは、例えば、複数の絶縁電線２を三方から囲むように設けられた面が成す溝であることが考えられる。図１３，１４に示される例では、凹部４１Ｄの溝は、ある平面とこの平面に直交し相互に間隔を空けて設けられた一対の平面とが成している。しかしながら、凹部４１Ｄが、湾曲した内側面が成す溝である場合（即ち、断面Ｕ字状の溝である場合）又は角度を成して連なる２つの平面が成す溝である場合（即ち、断面Ｖ字状の溝である場合）等も考えられる。
【００８０】
本実施形態では、コネクタ延長部４Ｄの凹部４１Ｄの溝の開口部４１０Ｄから複数の絶縁電線２が収容され、コネクタ延長部４Ｄが複数の絶縁電線２の周囲を覆う構造が作られる。そのため、例えば、コネクタ３に絶縁電線２が接続された後に、コネクタ３及び絶縁電線２に対してコネクタ延長部４Ｄを取り付けることが可能となる。即ち、本実施形態においては、コネクタ延長部４Ｄを後付することができ、作業性に優れる。
【００８１】
なお、本実施形態の開口部４１０Ｄは、コネクタ延長部４Ｄにおいて挿入部４２が突出する面及びその反対側の面以外の面に形成されていることが考えられる。
【００８２】
＜第１応用例＞
また、第５実施形態の第１応用例として、図１５に示すようなコネクタ延長部４Ｅも考えられる。図１５は、コネクタ延長部４Ｅの斜視図である。図１５に示されるコネクタ延長部４Ｅは、コネクタ延長部４Ｄと同様、コネクタ延長部４Ｅの挿入部４２が突出する側の面からその反対側の面に亘る部分に形成された溝である凹部４１Ｅを含んでいる。なお、コネクタ延長部４Ｅにおいては、凹部４１Ｅの開口部４１０Ｅの間隔が、凹部４１Ｅにおけるそれ以外の部分の間隔よりも小さくなるように形成されている。なお、上記のそれ以外の部分とは、例えば、凹部４１Ｅの溝の底面側の部分等が考えられる。コネクタ延長部４Ｅが適用されたコネクタ付電線においては、コネクタ延長部４Ｅが複数の絶縁電線２に装着された後に、絶縁電線２がコネクタ延長部４Ｅの凹部４１Ｄから外れてしまうことをより抑制できる。
【００８３】
＜その他の応用例＞
保護壁部３５が形成されていないコネクタ３を含むコネクタ付電線１において、第２実施形態のように、被覆部材５が、コネクタ延長部４から絶縁電線２に亘る部分の他に、さらに、コネクタ３の一部に巻き付けられている場合も考えられる。即ち、被覆部材５が、コネクタ３の固定部３４のロック構造に影響を与えない範囲で、さらにコネクタ３の一部に巻き付けられている場合が考えられる。
【００８４】
また、コネクタ延長部４が、コネクタ３のキャビティ３１に挿入される挿入部４２を有していない場合、コネクタ３及びコネクタ延長部４が、相互に連結される連結構造をそれぞれ有していることが考えられる。
【００８５】
なお、本発明に係るコネクタ付電線は、各請求項に記載された発明の範囲において、以上に示された各実施形態及び応用例を自由に組み合わせること、或いは、各実施形態及び応用例を適宜、変形する又は一部を省略することによって構成されることも可能である。
【符号の説明】
【００８６】
１  コネクタ付電線
２  絶縁電線
３  コネクタ
３１  キャビティ
４  コネクタ延長部
５  被覆部材
９  相手側コネクタ
【図１】
2016066516.tif 000003
【図２】
2016066516.tif 000004
【図３】
2016066516.tif 000005
【図４】
2016066516.tif 000006
【図５】
2016066516.tif 000007
【図６】
2016066516.tif 000008
【図７】
2016066516.tif 000009
【図８】
2016066516.tif 000010
【図９】
2016066516.tif 000011
【図１０】
2016066516.tif 000012
【図１１】
2016066516.tif 000013
【図１２】
2016066516.tif 000014
【図１３】
2016066516.tif 000015
【図１４】
2016066516.tif 000016
【図１５】
2016066516.tif 000017